(57)【要約】【課題】単なる上下２層構造で必要以上の高発泡樹脂が必要になる。【解決手段】矩形状の発泡樹脂製のパネル本体２の上面に形成した複数個の桟木収容凹部３、3aを形成し、該桟木収容凹部３、3a内に弾性変形可能な発泡樹脂製の桟木受承体４、4aを収容すると共に、該桟木受承体４、4aを桟木収容凹部３、3aの底面に固定し、前記桟木受承体４、4aの上面に、床材15の下面に密着する桟木５、5aを固定する。この床下地パネル１、1a…は複合材であるが、パネル本体２と該パネル本体２に形成した桟木収容凹部３、3a内に収容した桟木受承体４、4aとの複合材で、桟木受承体４、4aは桟木５、5aの下方だけに配置される。【選択図】図７
2009074283.tif 000002
【特許請求の範囲】
【請求項１】
床スラブ上に敷き詰められ、その上に床材が敷き詰められる床下地パネルであって、
矩形状の発泡樹脂製のパネル本体の上面に形成した複数個の桟木収容凹部を形成し、該桟木収容凹部内に弾性変形可能な発泡樹脂製の桟木受承体を収容すると共に、該桟木受承体を桟木収容凹部の底面に固定し、前記桟木受承体の上面に、上記床材の下面に密着する桟木を固定したことを特徴とする床下地パネル。
【請求項２】
桟木受承体を、該桟木受承体の下面に固設した振動吸収層を介して桟木収容凹部の底面に固定したことを特徴とする請求項１記載の床下地パネル。
【請求項３】
桟木収容凹部の底面上に設けた弾性材層により桟木受承体を固定したことを特徴とする請求項１又は２記載の床下地パネル。
【請求項４】
桟木受承体と桟木との間に弾性材層を介設したことを特徴とする請求項１、２又は３記載の床下地パネル。
【請求項５】
桟木受承体を複数個の発泡樹脂材の積層構造体としたことを特徴とする請求項１、２、３又は４記載の床下地パネル。
【請求項６】
桟木の上面をパネル本体の上面より上方に位置させたことを特徴とする請求項１、２、３、４又は５記載の床下地パネル。
【請求項７】
パネル本体の上面に、床材の下面に密着する弾性材層を設けたことを特徴とする請求項１、２、３、４、５又は６記載の床下地パネル。
【請求項８】
桟木の上面に、床材の下面に密着する弾性材層を設けたことを特徴とする請求項１、２、３、４、５、６又は７記載の床下地パネル。
【請求項９】
床スラブ上に敷き詰められた請求項１乃至８に記載の床下地パネルと、該床下地パネル上に敷き詰められた床材とで構成したことを特徴とする床構造。
【発明の詳細な説明】
【技術分野】
【０００１】
本発明は、主に鉄筋コンクリート造建築物に使用する遮音性に優れた床下地パネル及び床構造に関する。
【背景技術】
【０００２】
従来、コンクリート建築物の床構造において用いられる、床を通過して階下に届く通過音や、床が振動して階下に伝わる振動音などの、衝撃音及び空気伝播音の騒音の遮断性に優れた床構造に使用する床下地パネルとして、エラスチックな（伸縮性のある）発泡プラスチック、即ち可撓性フォーム（高発泡樹脂）より形成された下層と、半硬質発泡プラスチック（中発泡樹脂）より形成された上層とを積層したものが見受けられる（例えば、特許文献１〜５参照）。
【０００３】
【特許文献１】実開昭６３−５４７３０号公報（実用新案登録請求の範囲、第１図）
【特許文献２】特許第２６３３２９４号公報（第２頁〜３頁、第１〜４図）
【特許文献３】特許第２７１９５５０号公報（第３頁、第１〜７図）
【特許文献４】実用新案登録第２５１９３１１号公報（第３頁、第４図）
【特許文献５】実用新案登録第２５０９５７５号公報（第２頁、第４図）
【発明の開示】
【発明が解決しようとする課題】
【０００４】
しかし、上記従来技術にあっては、２種類の材料からなる複合材であるが、、単に上下２層にしただけであるため、機能的に必要以上の高発泡樹脂を使用せねばならないなど、解決せねばならない課題があった。
【課題を解決するための手段】
【０００５】
本発明は、上記従来技術に基づく、単なる上下２層構造に過ぎない課題に鑑み、矩形状の発泡樹脂製のパネル本体の上面に形成した複数個の桟木収容凹部を形成し、該桟木収容凹部内に弾性変形可能な発泡樹脂製の桟木受承体を収容すると共に、該桟木受承体を桟木収容凹部の底面に固定し、前記桟木受承体の上面に、上記床材の下面に密着する桟木を固定することによって、この床下地パネルは上記従来技術と同様に複合材であるが、パネル本体と該パネル本体に形成した桟木収容凹部内に収容した桟木受承体との複合材で、桟木受承体を桟木の下方だけに配置する様にして、上記課題を解決する。
【発明の効果】
【０００６】
要するに本発明は、矩形状の発泡樹脂製のパネル本体の上面に形成した複数個の桟木収容凹部を形成し、該桟木収容凹部内に弾性変形可能な発泡樹脂製の桟木受承体を収容すると共に、該桟木受承体を桟木収容凹部の底面に固定し、前記桟木受承体の上面に、上記床材の下面に密着する桟木を固定したので、かかる床下地パネルを構成するのは主にパネル本体及び桟木受承体であるが、該桟木受承体は桟木の下方にのみ配置されているため、遮音機能を従来技術と同程度に維持したまま一方の材料の使用量を削減することが出来る。  而も、桟木受承体を、該桟木受承体の下面に固設した振動吸収層を介して桟木収容凹部の底面に固定したり、桟木収容凹部の底面上に設けた弾性材層により桟木受承体を固定したり、或いは桟木受承体と桟木との間に弾性材層を介設したので、桟木を介して伝播する床板の振動を更に吸収することが出来るため、階下へ伝わる騒音を更に抑えることが出来る。
又、桟木受承体を複数個の発泡樹脂材の積層構造体としたので、各発泡樹脂材の形状係数が格段に低くなって、トータルとしての変形容易性が増加するため、上記発泡樹脂材で構成された桟木受承体をパネル本体の厚さ方向に長くしても各発泡樹脂材を短くすることが可能となって更なるエネルギー吸収作用の向上を図り階下へ伝わる騒音を更に抑えることが出来る。
更に、桟木の上面をパネル本体の上面より上方に位置させたので、床材を確実に桟木の上面に密着させることが出来る。
尚且つ、パネル本体の上面や桟木の上面に、床材の下面に密着する弾性材層を設けたので、振動や衝撃音の吸収効率を更に向上させて、階下へ伝わる騒音を更に抑えることが出来る。
そして、床スラブ上に敷き詰められた請求項１乃至８に記載の床下地パネルと、該床下地パネル上に敷き詰められた床材とで構成したので、遮音性に優れた床を構築することが出来、特に請求項７乃至８に記載の床下地パネルによれば、床材や桟木下方の弾性材層により振動吸収の高い床を構築することが出来る等その実用的効果甚だ大である。
【発明を実施するための最良の形態】
【０００７】
以下、本発明に係る床下地パネルの発明の実施の形態を図面に基づき説明する。
図１は鉄筋コンクリート造建築物における床スラブ上に敷き詰める本発明に係る床下地パネルの斜視図、図２は図１のＸ１−Ｘ１断面図、図３は図１のＹ１−Ｙ１断面図であり、かかる床下地パネル１、1a…にあっては、夫々に、中発泡樹脂製（半硬質フォーム製）又は高発泡樹脂製（可撓性フォーム製）にして矩形状に形成したパネル本体２の上面に、短手方向に長く長手方向に並列する２本の溝状の桟木収容凹部３、3aを形成し、該桟木収容凹部３、3a内に高発泡樹脂製（可撓性フォーム製）の桟木受承体４、4aを収容すると共に、該桟木受承体４、4aを桟木収容凹部３、3aの底面に固定し、この桟木受承体４、4aは桟木収容凹部３、3aに対し長さが略同寸で幅が若干狭い四角材とし、その上面に根太となる桟木５、5aを固定している。
加えて、図示の通り、桟木５、5aの上面を、パネル本体２の上面より若干上方に位置させるのが好ましいが、桟木５、5aの上面とパネル本体２の上面は同レベルであっても良く、要するに桟木５、5aの上面に、後述する床材15（下地材15a 又は仕上げ材15b ）の下面が密着すれば良い。
又、桟木受承体４、4aは、ゴム系接着剤の様な接着後に弾性を有させる接着剤又は発泡弾性材で構成された弾性材層６を介して桟木収容凹部３、3aの底面に固定され、具体的には、図４に示す様に、桟木受承体４、4aの下面に固定された振動吸収シートの様な弾性吸収材で構成された振動吸収層７を介して固定されていたり、或いは図５に示す様に、桟木受承体４、4aの下面に直接固定されている。
又、桟木５、5aは、図４に示す様に、上記弾性材層６と同様の弾性材層８を介して桟木受承体４、4aの上面に固定されたり、或いは図５に示す様に、直接桟木受承体４、4aの上面に固定されている。
【０００８】
次に、上記床下地パネル１、1a…による床構造の発明の実施の形態を図面に基づき説明する。
図６は本発明に係る床下地パネルを使用した床構造の平面図、図７は図６のＸ２−Ｘ２断面図、図８は図６のＹ２−Ｙ２断面図であり、かかる床構造10は、床スラブＳ上に形成した不陸調整接合層11、該不陸調整接合層11上に上記床下地パネル１、1a…を敷き詰めて形成した床下地層12、該床下地層12上に形成した床仕上げ層13とで構成されている。
【０００９】
上記不陸調整接合層11は、モルタルを山状又は畝状（図面上は山状）にした複数の不陸調整接合材14、14a …を規則的に盛り付けて形成している。
但し、不陸調整接合層11は上記構成に限定せず、要するに全ての床下地パネル１、1a…の上面が同レベル化可能であればどの様な構成であっても良い。
【００１０】
上記床仕上げ層13は、床下地層12上に多層状又は単層状に敷き詰めた多種又は１種の床材15で構成し、一般的には、図９に示す様に、ベニヤ、合板などの下地材15a 及び仕上げ材15b の２種類の床材15で構成させるが、図１０に示す様に、単に仕上げ材15b の１種類の床材15だけで構成させても良く、要するに少なくとも床材15に仕上げ材15b が含まれていれば良い。
【００１１】
図９、１０に示す様に、桟木５、5aと床材15との間に、上記弾性材層６、８と同様の弾性材層16を形成しても良い。
又、桟木受承体４、4aを多層構造体としても良く、図１１に示す桟木受承体４、4aは、３個の発泡樹脂材4A、4B、4Cからなる３層構造体であるが、要するに２層以上であれば良い。
【００１２】
次に、本発明に係る床構造の構築方法について説明する。
（１）モルタルを山状又は畝状にした不陸調整接合材14、14a …を床スラブＳ上に規則的に盛り付けて不陸調整接合層11を形成する。
（２）この不陸調整接合層11に床下地パネル１、1a…を載置すると共に、全ての床下地パネル１、1a…の上面が同レベルと成る様に押さえ付けて床下地パネル１、1a…を全面に敷き詰めて床下地層12を形成する。
（３）この床下地層12上に床材15（下地材15a や仕上げ材15b ）を敷き詰めると共に、該床材15を貫通させた釘などの固定具20を適宜桟木５、5aや下地材15a に打ち込んで、床下地パネル１、1a…に対し床材15を固定して床仕上げ層13を形成する。
【００１３】
又、図９、１０に示す様に、パネル本体２の上面と床材15の下面との間に、上記弾性材層６、８と同様の弾性材層９を介設しても良く、この場合、桟木５、5aの上面をパネル本体２の上面より上方に設定した床下地パネル１、1a…に予め形成しておいても良い。
【００１４】
次に、本発明に係る床下地パネル及び床構造の作用について説明する。
床を通過して階下に届く通過音を、床下地パネル１、1a…自体と、該床下地パネル１、1a…の下方空間で吸収し、桟木受承体４、4aの下面に振動吸収層７があれば、床構造10自体の振動が抑止され、更に図２に示した床下地パネル１、1a…であれば、桟木受承体４、4a及び桟木５、5aの下の弾性材層６、８によっても吸収され、図８、９に示す床構造10では床材15の下方の弾性材層９、16によっても吸収されて階下に伝わるため、階下に届く騒音が非常に小さくなる。
【００１５】
又、図１１に示す床下地パネル１、1a…では、桟木受承体４、4aを多層構造にすることで、各発泡樹脂材4A、4B…の形状係数が格段に低くなって、各桟木受承体４、4aのトータルとしての変形容易性が増加するため、上記発泡樹脂材4A、4B…で構成された桟木受承体４、4aをパネル本体２の厚さ方向に長くしても各発泡樹脂材4A、4B…は短く更なるエネルギー吸収作用の向上が可能となり、而も各桟木受承体４、4aを構成する発泡樹脂材4A、4B…を、低・中・高発泡の３種類の発泡樹脂から選択して使用することで、上記エネルギー吸収作用の調整が可能になる。
【図面の簡単な説明】
【００１６】
【図１】本発明に係る床下地パネルの斜視図である。
【図２】図１のＸ１−Ｘ１断面図である。
【図３】図１のＹ１−Ｙ１断面図である。
【図４】図２の要部拡大図である。
【図５】図４の他の実施例の要部拡大図である。
【図６】本発明に係る床下地パネルを使用した床構造の平面図である。
【図７】図６のＸ２−Ｘ２断面図である。
【図８】図６のＹ２−Ｙ２断面図である。
【図９】図７の要部拡大図である。
【図１０】図９の他の実施例の要部拡大図である。
【図１１】桟木受承体を多層構造にした床下地パネルの要部拡大断面図である。
【符号の説明】
【００１７】
１、1a…    床下地パネル
２          パネル本体
３、3a      桟木収容凹部
４、4a      桟木受承体
4A、4B…    発泡樹脂材
５、5a      桟木
６          弾性材層
７          振動吸収層
８          弾性材層
９          弾性体層
15          床材
16          弾性材層
Ｓ          床スラブ
【図１】
2009074283.tif 000003
【図２】
2009074283.tif 000004
【図３】
2009074283.tif 000005
【図４】
2009074283.tif 000006
【図５】
2009074283.tif 000007
【図６】
2009074283.tif 000008
【図７】
2009074283.tif 000009
【図８】
2009074283.tif 000010
【図９】
2009074283.tif 000011
【図１０】
2009074283.tif 000012
【図１１】
2009074283.tif 000013